(57)【要約】【課題】マイクロコンピュータを用いずとも、映像信号の種別に応じた適切な映像信号処理を行うこと。【解決手段】前記映像信号の同期信号に関する周波数情報を所定期間毎に検出して、周波数情報値として順次出力する周波数カウント回路と、周波数カウント回路から出力される周波数情報値を所定条件で保持する保持回路と、保持回路に保持された周波数情報値と、前記周波数カウント回路から出力される周波数情報値との差分値を演算する演算回路と、演算回路から出力される差分値が所定の許容範囲内でないときに、検出信号を出力するカウント許容回路と、保持回路に保持された周波数情報値に基づいて、前記映像信号の種別を判別する判別回路と、映像信号の種別に応じた映像信号処理を行なう処理回路とを備え、カウント許容回路から出力される前記検出信号に基づいて、前記保持回路に保持した周波数情報値を変更する。【選択図】  図１
2006261839.tif 000002
【特許請求の範囲】
【請求項１】
入力された映像信号の種別に応じた映像信号の処理を行なう映像信号処理回路であって、
前記映像信号の同期信号に関する周波数情報を所定期間毎に検出して、周波数情報値として順次出力する周波数カウント回路と、
前記周波数カウント回路から出力される周波数情報値を所定条件で保持する保持回路と、
前記保持回路に保持された周波数情報値と、前記周波数カウント回路から出力される周波数情報値との差分値を演算する演算回路と、
前記演算回路から出力される差分値が所定の許容範囲内にないときに、検出信号を出力するカウント許容回路と、
前記保持回路に保持された周波数情報値に基づいて、前記映像信号の種別を判別する判別回路と、を備え、
前記カウント許容回路から出力される前記検出信号に基づいて、前記保持回路に保持した周波数情報値を変更する映像信号処理回路。
【請求項２】
前記カウント許容回路は、異なる前記許容範囲を有する複数のカウント許容部から構成され、前記判別回路による判別結果に応じて、前記カウント許容部が選択されることを特徴とする請求項１に記載の映像信号処理回路。
【請求項３】
前記カウント許容回路は、異なる前記許容範囲を有する複数のカウント許容部から構成され、外部からの入力信号に基づいて、前記カウント許容部を選択可能としたことを特徴とする請求項１又は請求項２に記載の映像信号処理回路。
【請求項４】
入力された映像信号の種別に応じた映像信号の処理を行なう映像信号処理回路を備えた映像表示装置であって、
前期映像信号処理回路は、
前記映像信号の同期信号に関する周波数情報を所定期間毎に検出して、周波数情報値として順次出力する周波数カウント回路と、
前記周波数カウント回路から出力される周波数情報値を所定条件で保持する保持回路と、
前記保持回路に保持された周波数情報値と、前記周波数カウント回路から出力される周波数情報値との差分値を演算する演算回路と、
前記演算回路から出力される差分値が所定の許容範囲内にないときに、検出信号を出力するカウント許容回路と、
前記保持回路に保持された周波数情報値に基づいて、前記映像信号の種別を判別する判別回路と、を備え、
前記カウント許容回路から出力される前記検出信号に基づいて、前記保持回路に保持した周波数情報値を変更する構成とした映像表示装置。
【発明の詳細な説明】
【技術分野】
【０００１】
本発明は、映像信号処理回路に関し、より詳しくは、入力された映像信号の種別に応じた映像信号処理を行なう映像信号処理回路及びそれを備えた映像表示装置に関する。
【背景技術】
【０００２】
従来からカラーテレビジョンの信号方式には、ＮＴＳＣ（National Television System
Committee），ＰＡＬ（Phase Alternation by Line）等様々な方式があり、特に近年のディジタルテレビジョン化に伴い、さらに多種多様になってきている。そして、これらの映像信号は、それぞれ固有の周波数及び方式によって構成されている。
【０００３】
そして、複数種類の映像信号から映像情報を取り出して画面表示装置に表示することができる映像表示装置においては、入力される映像信号から水平同期信号と垂直同期信号の周波数をそれぞれ検出することによって、どの種類の映像信号かを識別し、その識別結果に応じた映像信号の処理を行なっている。
【０００４】
たとえば、コピーガード機能を有する480i MACRO VISION方式の入力映像信号は、図７に示すように、水平同期信号のほか、擬似的な水平同期信号とＡＧＣパルスで構成されている。このように入力される映像信号を、映像信号の種別判別を行なわずにその処理を行なうと、図８に示すように、擬似水平同期信号を水平同期信号として誤認識をしてしまうことになり、映像信号を正常に画面表示装置に表示することができなくなる。
【０００５】
したがって、入力された映像信号から水平同期信号と垂直同期信号の周波数を検出して、480i MACRO VISION方式の信号であることを判別し、480i MACRO VISION方式に対応する信号処理を行なうことが必要となる。図９は、一定期間の水平同期信号、すなわち擬似水平同期信号を水平同期信号として取り出さないように、マスク処理によって、水平同期信号の検出処理を行なった信号波形を示している。
【０００６】
このように複数種類の映像信号を処理する装置においては、水平同期信号や垂直同期信号を検出する必要があり、この検出結果に基づいて、適切に映像信号を処理する必要がある。また、入力される映像信号が途中から切り変わった場合にも、その切り替わった映像信号の種別を判別して、適切な映像信号処理を行なうことが要求される。
【０００７】
そこで、マイクロコンピュータに水平同期信号あるいは垂直同期信号を入力して、それらの同期信号の周波数の変化に追従してその周波数を判別する同期信号判別方法が提案されている（例えば、特許文献１参照。）。
【０００８】
このような同期信号判別方法を適用した映像信号処理装置の例を図10に示す。図10は、映像信号の同期信号の周波数を判別することができる映像信号処理装置100の全体構成を示す図である。
【０００９】
図10に示すように、映像信号処理装置は、映像信号処理用の半導体集積回路101と、マイクロコンピュータ102とを有しており、以下その動作を具体的に説明する。
【００１０】
半導体集積回路101に映像信号Ｓが入力されると、同期信号分離回路110によって、入力映像信号Ｓから水平同期信号及び垂直同期信号を検出する。続いて、９bitカウンタ回路111により、水平同期信号のエッジ数が所定の期間ごとにカウントされて水平同期信号の周波数情報が取得され、９bitラッチ回路112によって、カウントされた水平同期信号の周波数情報を２進数として半導体集積回路101外に出力する。
【００１１】
このように半導体集積回路101外に出力された水平同期信号の周波数情報は、マイクロコンピュータ102に入力され、このマイクロコンピュータ102によって、入力映像信号Ｓの種別、すなわちどの規格準拠するものであるのかを判別する。
【００１２】
その後、マイクロコンピュータ102は、判別した入力映像信号Ｓの種別に対応する設定データを半導体集積回路101へ入力する。入力された設定データは、信号処理設定回路113によって記憶され、図示しない半導体集積回路101の信号処理回路によって、その設定データに応じた入力映像信号Ｓの信号処理が行われる。なお、この信号処理は、入力映像信号Ｓから映像表示に必要な信号（情報）を得るための信号処理等である。
【特許文献１】特開平３−２０１８７５号公報
【発明の開示】
【発明が解決しようとする課題】
【００１３】
しかしながら、従来の構成では、同期信号の周波数の変化に伴って、その同期信号の周波数に追従し、同期信号の周波数を検出することができるものの、マイクロコンピュータで常に同期信号の周波数検出を行うルーティン処理を必要とすることから、その検出に伴う処理の負担が大きかった。
【００１４】
しかも、映像信号の種別に応じた映像信号処理を行うために、マイクロコンピュータにおいて、検出した同期信号の周波数、すなわち映像信号の種別に応じた設定データを生成して、映像信号処理用の半導体集積回路に入力しなければならなかった。
【００１５】
そこで、本発明は、マイクロコンピュータを用いずとも、映像信号の種別に応じた適切な映像信号処理を行うことができる映像信号処理回路及びそれを備えた映像表示装置を提供することを目的とする。
【課題を解決するための手段】
【００１６】
請求項１に記載の発明は、入力された映像信号の種別に応じた映像信号の処理を行なう映像信号処理回路であって、前記映像信号の同期信号に関する周波数情報を所定期間毎に検出して、周波数情報値として順次出力する周波数カウント回路と、前記周波数カウント回路から出力される周波数情報値を所定条件で保持する保持回路と、前記保持回路に保持された周波数情報値と、前記周波数カウント回路から出力される周波数情報値との差分値を演算する演算回路と、前記演算回路から出力される差分値が所定の許容範囲内にないときに、検出信号を出力するカウント許容回路と、前記保持回路に保持された周波数情報値に基づいて、前記映像信号の種別を判別する判別回路と、を備え、前記カウント許容回路から出力される前記検出信号に基づいて、前記保持回路に保持した周波数情報値を変更することを特徴とする。
【００１７】
また、請求項２に記載の発明は、請求項１に記載の発明であって、前記カウント許容回路は、異なる前記許容範囲を有する複数のカウント許容部から構成され、前記判別回路による判別結果に応じて、前記カウント許容部が選択されることを特徴とする。
【００１８】
また、請求項３に記載の発明は、請求項１又は請求項２に記載の発明であって、前記カウント許容回路は、異なる前記許容範囲を有する複数のカウント許容部から構成され、外部からの入力信号に基づいて、前記カウント許容部を選択可能としたことを特徴とする。
【００１９】
また、請求項４に記載の発明は、入力された映像信号の種別に応じた映像信号の処理を行なう映像信号処理回路を備えた映像表示装置であって、前期映像信号処理回路は、前記映像信号の同期信号に関する周波数情報を所定期間毎に検出して、周波数情報値として順次出力する周波数カウント回路と、前記周波数カウント回路から出力される周波数情報値を所定条件で保持する保持回路と、前記保持回路に保持された周波数情報値と、前記周波数カウント回路から出力される周波数情報値との差分値を演算する演算回路と、前記演算回路から出力される差分値が所定の許容範囲内にないときに、検出信号を出力するカウント許容回路と、前記保持回路に保持された周波数情報値に基づいて、前記映像信号の種別を判別する判別回路と、を備え、前記カウント許容回路から出力される前記検出信号に基づいて、前記保持回路に保持した周波数情報値を変更する構成としたことを特徴とする。
【発明の効果】
【００２０】
請求項１に記載の発明によれば、入力された映像信号の種別に応じた映像信号の処理を行なう映像信号処理回路であって、前記映像信号の同期信号に関する周波数情報を所定期間毎に検出して、周波数情報値として順次出力する周波数カウント回路と、前記周波数カウント回路から出力される周波数情報値を所定条件で保持する保持回路と、前記保持回路に保持された周波数情報値と、前記周波数カウント回路から出力される周波数情報値との差分値を演算する演算回路と、前記演算回路から出力される差分値が所定の許容範囲内にないときに、検出信号を出力するカウント許容回路と、前記保持回路に保持された周波数情報値に基づいて、前記映像信号の種別を判別する判別回路と、を備え、前記カウント許容回路から出力される前記検出信号に基づいて、前記保持回路に保持した周波数情報値を変更するので、マイクロコンピュータを用いることなく、同期信号の周波数の変化を検出して、映像信号の種別を判別することができる。しかも、演算回路によって演算された差分値が許容範囲内である限り、判別回路に入力される周波数情報値は一定となるから、判別回路にて同期信号の周波数が変更されたと誤認識され、入力される映像信号の処理が都度変更されることがない。
【００２１】
また、請求項２に記載の発明によれば、前記カウント許容回路は、異なる前記許容範囲を有する複数のカウント許容部から構成され、前記判別回路による判別結果に応じて、前記カウント許容部が選択されるので、映像信号の種別によって許容範囲を変えなければならない場合であっても、動的に映像信号の種別に応じた許容範囲を選択することができる。
【００２２】
また、請求項３に記載の発明によれば、前記カウント許容回路は、異なる前記許容範囲を有する複数のカウント許容部から構成され、外部からの入力信号に基づいて、前記カウント許容部を選択可能としたので、映像信号によって許容範囲を変えなければならない場合に、容易にその許容範囲の許容範囲を選択することができる。
【００２３】
また、請求項４に記載の発明によれば、入力された映像信号の種別に応じた映像信号の処理を行なう映像信号処理回路を備えた映像表示装置であって、前期映像信号処理回路は前記映像信号の同期信号に関する周波数情報を所定期間毎に検出して、周波数情報値として順次出力する周波数カウント回路と、前記周波数カウント回路から出力される周波数情報値を所定条件で保持する保持回路と、前記保持回路に保持された周波数情報値と、前記周波数カウント回路から出力される周波数情報値との差分値を演算する演算回路と、前記演算回路から出力される差分値が所定の許容範囲内にないときに、検出信号を出力するカウント許容回路と、前記保持回路に保持された周波数情報値に基づいて、前記映像信号の種別を判別する判別回路と、を備え、前記カウント許容回路から出力される前記検出信号に基づいて、前記保持回路に保持した周波数情報値を変更する構成としたので、マイクロコンピュータを用いることなく、同期信号の周波数の変化を検出して、映像信号の種別を判別することができる。しかも、演算回路によって演算された差分値が許容範囲内である限り、判別回路に入力される周波数情報値は一定となるから、判別回路にて同期信号の周波数が変更されたと誤認識され、入力される映像信号の処理が都度変更されることがない。
【発明を実施するための最良の形態】
【００２４】
本実施の形態の映像信号処理回路は、水平同期信号や垂直同期信号の周波数情報を所定期間毎に検出して、周波数情報値として順次出力する周波数カウント回路と、周波数カウント回路から出力される周波数情報値を所定条件で保持する保持回路と、保持回路に保持された周波数情報値に基づいて、映像信号の種別を判別する判別回路と、映像信号の種別に応じた映像信号処理を行なう処理回路とを備えたものであり、半導体集積回路内に配置される。
【００２５】
このように半導体集積回路内で、映像信号から同期信号を検出し、その同期信号の周波数に基づいて映像信号の種別を判別している。
【００２６】
その結果、同期信号から映像信号の種別を判別するために、別途マイクロコンピュータを接続して、同期信号を出力する必要がなくなる。これにより、マイクロコンピュータによる処理の負荷を軽減することができると共に、マイクロコンピュータにおいて映像信号の種別を判別するためのプログラム製作の作業の手間を削減することが可能となる。
【００２７】
しかも、保持回路に保持された周波数情報値と、周波数カウント回路から出力される周波数情報値との差分値を演算する演算回路と、演算回路から出力される差分値が所定の許容範囲内でないときに、検出信号を出力するカウント許容回路とを設け、カウント許容回路から出力される検出信号に基づいて、保持回路に保持した周波数情報値を変更するように構成している。
【００２８】
このように、周波数カウンタ回路から出力される周波数が一定ではない場合であっても、所定範囲内であれば、保持回路に保持された周波数情報値は変更されることがない。
【００２９】
その結果、周波数カウンタ回路での同期信号の周波数情報値検出を、この同期信号と非同期のクロックを用いて行なうことにより検出誤差が生じるような場合であっても、判別回路にて同期信号の周波数が変更されたと誤認識され、入力される映像信号の処理が都度変更されることがなくなる。
【００３０】
以下、本実施の形態に係る映像信号処理回路及びそれを用いた映像表示装置について、具体的に図面を参照して説明する。図１は本発明の一実施形態に係る映像信号処理回路の全体的な構成を示した図、図２は本発明の一実施形態に係る水平同期信号及びウィンドウを示す図、図３は本発明の一実施形態に係るカウント許容回路の構成を示す図、図４は本発明の一実施形態に係る第１カウント許容部の構成を示す図、図５は本発明の一実施形態に係る第１カウント許容部の等価回路を示す図、図６は本発明の一実施形態に係るＰＬＬ回路の構成を示す図である。
【００３１】
図１に示すように、本発明の映像信号処理回路を備えた半導体集積回路１（以下、「半導体集積回路１」と略す。）は、映像信号処理回路として、同期信号分離回路10と、水平同期信号抽出回路11と、周波数カウント回路12と、保持回路16と、演算回路17と、カウント許容回路18と、保持値変更回路19、映像信号判別回路20、ＰＬＬ回路21、信号処理回路22とを有している。そして、この半導体集積回路１は、映像表示装置に設けられている。この映像表示装置は、半導体集積回路１の他、図示しない表示装置などを備えており、入力された映像信号を半導体集積回路１で処理すると共に、処理した信号を図示しない表示装置で表示する構成を有している。
【００３２】
このように構成された映像表示装置に、映像信号Ｓが入力されると、半導体集積回路１内の同期信号分離回路10によって、水平同期信号Ｓ１及び垂直同期信号Ｓ２が分離される。続いて、同期信号分離回路10から出力される水平同期信号Ｓ１と垂直同期信号Ｓ２は、水平同期信号抽出回路11に入力され、この水平同期信号抽出回路11によって、水平同期信号Ｓ２から垂直ブランキング区間を除いた水平同期信号Ｓ３を抽出する。
【００３３】
水平同期信号抽出回路11から出力される水平同期信号Ｓ３は、周波数カウント回路12に入力され、この水平同期信号Ｓ３の周波数情報が検出され、周波数情報値Ｓ４として出力される。
【００３４】
ここで、周波数カウント回路12の動作につき、具体的に説明する。周波数カウント回路12は、図１に示すように、９bitのカウンタ回路13と、無信号検出回路14と、９bitのラッチ回路15とを有している。
【００３５】
カウンタ回路13には、水平同期信号抽出回路11から出力される水平同期信号Ｓ３及びこの水平同期信号と非同期の基準クロックＣＬＫが入力される。そして、カウンタ回路13は、基準クロックＣＬＫで動作し、この基準クロックＣＬＫをカウンタにてデコードして、図２に示すように、所定期間（本実施の形態では、５ｍｓとする。）のウィンドウを生成する。
【００３６】
また、カウンタ回路13は、このウィンドウ内に存在する水平同期信号Ｓ３の立ち上りエッジ又は立ち下りエッジの数をカウントする。その後、このカウントされたエッジの数は、ウィンドウ毎に周波数情報値として、ラッチ回路15へ出力される。
【００３７】
次に、カウンタ回路13によってカウントされたエッジ数のカウント値は、ラッチ回路15によって２進数周波数情報値Ｓ４として、ウィンドウ毎にラッチされて保持される。なお、無信号検出回路14は、カウンタ回路13から出力される周波数情報値が、所定値以下（ここでは、水平周波数で７．８３ｋＨｚ以下を意味する“１ＦＦ”以上とする。）であることによって検出すると無信号であると判定し、ラッチ回路15をリセットする
【００３８】
このように周波数カウント回路12は、カウンタ回路13によって、水平同期信号Ｓ３とは非同期のクロックによって算出された所定区間、すなわちウィンドウごとに、それぞれ水平同期信号Ｓ３のパルス数をカウントして周波数情報値とし、この周波数情報値をラッチ回路15によってウィンドウ毎にラッチし、２進数周波数情報値Ｓ４として保持するようにしている。
【００３９】
続いて、周波数カウント回路12によって順次出力される周波数情報値Ｓ４は、保持回路16と演算回路17に入力される。このように入力される周波数情報値Ｓ４は、保持値変更回路19からのリロード信号が保持回路16に入力されたときに、この保持回路16によって保持されるように構成されている。
【００４０】
また、演算回路17は、保持回路16で保持され、出力される周波数情報値Ｓ５と、周波数カウント回路12によって出力される周波数情報値Ｓ４とを順次比較して差分を演算するように構成されており、その差分値Ｓ６をカウント許容回路18へ出力する。
【００４１】
カウント許容回路18は、差分値Ｓ６が所定の許容範囲にあるときには、保持回路16で保持されている周波数情報値Ｓ５を維持するように、所定信号を保持回路16へ出力し、差分値Ｓ６が所定範囲にないときには、保持値変更回路19へ検出信号としての差分検出信号を出力する。
【００４２】
保持値変更回路19は、カウント許容回路18から差分検出信号が入力されると、水平同期信号Ｓ３の周波数が変化したこと、すなわち入力される映像信号Ｓの種別が切り替わったと判別する。そして、保持値変更回路19は、保持している周波数情報値Ｓ５を、周波数カウント回路12から出力されている周波数情報値Ｓ４に置き換えるために、保持回路16へリロード信号を出力する。
【００４３】
ここで、カウント許容回路18の具体的構成について、図３、４を参照して、以下、具体的に説明する。
【００４４】
図３に示すように、カウント許容回路18は、第１カウント許容部181a、第２カウント許容部181bと、第３カウント許容部181c、切替部182とを有している。
【００４５】
各カウント許容部181a〜181cは、差分値Ｓ６の許容範囲がそれぞれ異なる構成とされている。すなわち、第１カウント許容部181aは±１の許容範囲、第２カウント許容部181bは±２の許容範囲、第３カウント許容部181cは±３の許容範囲に設定されている。
【００４６】
そして、周波数カウント回路12から出力される周波数情報値Ｓ４は、切替部182を介して、この切替部182に接続されているカウント許容部に入力される。
【００４７】
この切替部182は、映像信号判別回路20から出力される切替信号、又は半導体集積回路１外から出力される切替信号に基づいて、周波数カウント回路12から出力される周波数情報値Ｓ４をカウント許容部181a〜181cのうちいずれかに入力するように接続を切り替える。
【００４８】
なお、映像信号判別回路20から出力される切替信号は、映像信号判別回路20によって判別された映像信号Ｓの種別に応じて変更されるものであり、例えば、映像信号Ｓが第１の種別である場合には、第１カウント許容部181aへ切替えるための切替信号を、又映像信号Ｓが第２の種別である場合には、第２カウント許容部181bへ切替えるための切替信号を出力する。
【００４９】
また、この切替部182の制御を、半導体集積回路１外からこの半導体集積回路１に入力される切替信号のみから行なうように構成してもよい。
【００５０】
ここで、これらのカウント許容部の具体的構成について、第１カウント許容部181aを例に挙げて、以下、図４を参照して説明する。
【００５１】
図４に示すように、第１カウント許容部181aは、２５個のＩＩＬ（Integrated Injection Logic）素子30a〜yによって構成されている。なお、図５は、第１カウント許容部181aの等価回路を示している。
【００５２】
演算回路17によって演算された差分値Ｓ６は、９bitのデータとして、第１カウント許容部181aに入力される。この９bitのデータは、各ＩＩＬ素子30a〜iにそれぞれbit単位で入力されると共に、そのデータの最上位ビットがＩＩＬ素子30jに入力される。
【００５３】
差分値Ｓ６がＩＩＬ素子30a〜jに入力されると、ＩＩＬ素子30wの出力、すなわち第１カウント許容部181aの出力として、差分値Ｓ６が±１以内のときにはLow信号が、差分値Ｓ６が±２以上の時にはHigh信号が出力される。
【００５４】
例えば、各周波数情報値Ｓ４＝０１１１１１１０、Ｓ５＝０１１１１１１１のとき、その差分値Ｓ６＝１１１１１１１１１となる。すなわち、差分値のデータは、０〜８bitの値が１となり、最上位bitも１となり、それぞれHigh信号がＩＩＬ素子30a〜gへ入力される。その結果、ＩＩＬ素子30wの出力はLow信号となる。すなわち、差分検出信号は出力されないことになる。
【００５５】
また、各周波数情報値Ｓ４＝０１１１１１１０、Ｓ５＝０１１１１１０１のとき、その差分値Ｓ６＝００００００００１となる。すなわち、差分値のデータは、０bitの値が１に、１〜８bitの値が０となり、最上位bitも０となり、０bitにHigh信号が、それ以外にはLow信号がＩＩＬ素子30a〜gへ入力される。その結果、ＩＩＬ素子30wの出力はLow信号となる。すなわち、上記と同様に、差分検出信号は出力されないことになる。
【００５６】
一方、各周波数情報値Ｓ４＝０１１１１１１０、Ｓ５＝１０００００００のとき、その差分値Ｓ６＝１１１１１１１１０となる。すなわち、差分値のデータは、０bitの値が０に、それ以外のbitは１となり、０bitにLow信号が、それ以外にはHigh信号がＩＩＬ素子30a〜gへ入力される。その結果、ＩＩＬ素子30wの出力はHigh信号となる。すなわち、差分検出信号は出力されることになる。
【００５７】
一方、各周波数情報値Ｓ４＝０１１１１１１０、Ｓ５＝０１１１１１００のとき、その差分値Ｓ６＝０００００００１０となる。すなわち、差分値のデータは、１bitの値が１に、それ以外のbitが０となり、１bitにHigh信号が、それ以外にはLow信号がＩＩＬ素子30a〜gへ入力される。その結果、ＩＩＬ素子30wの出力はHigh信号となる。すなわち、差分検出信号は出力されることになる。すなわち、差分検出信号としては出力されることになる。
【００５８】
このように、各カウント許容部181a〜181cは、ＩＩＬ素子によってロジック回路を構成していることから、演算回路17により演算された差分値が許容範囲内であるかをきわめて容易に判定することができることになる。
【００５９】
しかも、演算回路17によって演算された差分値が許容範囲内である限り、映像信号判別回路20に入力される周波数情報値は一定となるから、映像信号判別回路20にて同期信号が変更されたと誤認識され、入力される映像信号の処理が都度変更されることがない。その結果、信号処理回路22で処理された映像信号が図示しない表示装置にてノイズを含んで表示されることを防止することができる。
【００６０】
次に、保持回路16で保持されている周波数情報値は、映像信号判別回路20に入力されており、映像信号判別回路20は、この周波数情報値及び垂直同期信号の周波数情報値から入力される映像信号Ｓの種別を判別する。なお、本実施形態では、ＮＴＳＣやＰＡＬなど、又MACRO VISION方式の有無などを映像信号の種別として識別する。
【００６１】
また、映像信号判別回路20は、映像信号Ｓの種別に応じた分周比設定データを複数記憶しており、判別された映像信号Ｓの種別に応じた分周比設定データをＰＬＬ回路21へ出力する。さらに、映像信号判別回路20は、判別された映像信号Ｓの種別に応じた信号を信号処理回路22へ出力する。
【００６２】
ＰＬＬ回路21は、図６に示すように、位相比較器211と、ローパスフィルタ（ＬＰＦ）212と、水平発振回路213と、分周器214とを有している。
【００６３】
位相比較器211は、水平同期信号Ｓ２と分周器214から出力されるリファレンス信号との位相を比較して誤差信号をＬＰＦ212へ出力し、ＬＰＦ212によって誤差信号が電圧制御信号に変換されて、水平発振回路213へ出力される。
【００６４】
水平発振回路213は、電圧制御信号に基づいて、基準周波数信号を生成して分周器214へ出力すると共に、信号処理回路22へ出力するように構成されている。なお、分周器214は、映像信号判別回路20から出力される分周比設定データを保持しており、このデータに基づいて、水平発振回路213から出力される基準周波数を分周する。
【００６５】
信号処理回路22は、ＰＬＬ回路21から出力される基準周波数信号と、映像信号判別回路20から出力される映像信号Ｓの種別情報に基づいて、この半導体集積回路１に入力される映像信号Ｓを処理する。続いて、その処理をした映像信号を図示しない表示装置へ出力する。
【００６６】
この信号処理回路22は、映像信号Ｓの種別情報に応じて、映像信号Ｓの信号処理を変更しており、例えば、映像信号ＳがＮＴＳＣのMICRO VISION方式のときは、ＡＧＣパルスや擬似同期信号をマスク等の処理により映像信号が正常に出力されるように処理する。
【００６７】
なお、本実施の形態においては、水平同期信号の検出について説明したが、垂直同期信号に関しても、それぞれ周波数カウント回路12、保持回路16、演算回路17、カウント許容回路18、保持値変更回路19等を設けており、垂直同期信号の検出を行なうように構成されているが、それぞれの部位の動作は水平同期信号のそれと同様であるため、ここでは説明を省略する。
【図面の簡単な説明】
【００６８】
【図１】本発明の一実施形態に係る映像信号処理用半導体集積回路の全体的な構成を示した図。
【図２】本発明の一実施形態に係る水平同期信号及びウィンドウを示す図。
【図３】本発明の一実施形態に係るカウント許容回路の構成を示す図。
【図４】本発明の一実施形態に係る第１カウント許容部の構成を示す図。
【図５】本発明の一実施形態に係る第１カウント許容部の等価回路を示す図。
【図６】本発明の一実施形態に係るＰＬＬ回路の構成を示す図。
【図７】480i MACRO VISION方式の入力映像信号の波形図。
【図８】マスク処理を行なわずに、水平同期信号の検出処理を行なった信号波形図。
【図９】マスク処理によって、水平同期信号の検出処理を行なった信号波形図。
【図１０】従来の同期信号判別方法を適用した映像信号処理装置の構成を示す図。
【符号の説明】
【００６９】
１  映像信号処理回路
１２  周波数カウント回路
１６  保持回路
１７  演算回路
１８  カウント許容回路
２０  映像信号判別回路
２2  信号処理回路
【図１】
2006261839.tif 000003
【図２】
2006261839.tif 000004
【図３】
2006261839.tif 000005
【図４】
2006261839.tif 000006
【図５】
2006261839.tif 000007
【図６】
2006261839.tif 000008
【図７】
2006261839.tif 000009
【図８】
2006261839.tif 000010
【図９】
2006261839.tif 000011
【図１０】
2006261839.tif 000012